(57)【要約】  通信リンケージと各スイッチの構成とを備えたバックアップ再充電可能電池供給システムであって、各スイッチは、電池ユニット内の準備完了モードにある各セルによって電池バックアップ電力が供給され得るようにし、非準備完了モードまたはメンテナンスモードにある各電池をバイパスするためのものである。この特有の各スイッチの構成および通信方法により、バックアップ電力を非常に迅速に供給して負荷への電力の中断を回避することが可能になる。それぞれの電池セルは充電および放電スイッチと電力スイッチとを有する。電力スイッチと充電または放電スイッチのうちの１つは、電池セルが充電または放電できるように両方とも閉じられる必要がある。バイパススイッチは電池システム制御またはセルコントローラによって制御されてもよく、閉じられた場合、セルが放電または充電からバイパスされ得る。各電池セルは、金属空気電池などの電気化学セルであってもよい。
2020512793.tif 000002
【特許請求の範囲】
【請求項１】
一次電源と共に用いるためのバックアップ電力供給システムであって、前記システムが、
前記一次電源によって負荷に供給された一次電力の特性を検出するように構成された一次電力センサであって、検出された前記特性に基づいて放電モードまたは充電モードを示す閾値信号を出力するように構成された一次電力センサと、
システムコントローラと、
直列に配置されてセル列を構成する複数の再充電可能電池セルを含む電池システムと、を備え、それぞれのセルが、
（ｉ）セルコントローラと、
（ｉｉ）前記セルの１つ以上の状態を検知して、前記再充電可能電池セルが充電のための充電準備完了モードにあるかどうか、および前記再充電可能電池セルが放電のための放電準備完了モードにあるかどうかを判断するために、前記セルコントローラに結合された少なくとも１つの準備完了状態センサと、
（ｉｉｉ）前記セルコントローラに結合され、前記セルが前記セル列において電気的に結合されることを可能にするための通常状態と、前記セル列内で前記セルをバイパスするバイパス状態との間で切り替え可能なセルバイパススイッチと、
（ｉｖ）前記電池システムと前記負荷との間で電力を伝達するために前記セル列内で前記電池セルを電気的に結合する閉状態と、前記電池セルを前記セル列から電気的に切り離す開状態との間で切り替え可能な電力スイッチと、を備え、
前記一次電力センサが、前記システムコントローラおよびそれぞれのセルに並列に結合されて、前記閾値信号をそれぞれのセルに直接送信し、
それぞれのセルが、前記閾値信号を受信したことに応答して前記電力スイッチを前記閉状態に切り替えるように構成され、
それぞれのセルコントローラが、前記少なくとも１つの準備完了状態センサに応答して、前記バイパススイッチを前記バイパス状態と前記通常状態との間で切り替えるように構成された、バックアップ電力供給システム。
【請求項２】
前記セルコントローラが、前記閾値信号とは無関係に前記通常状態と前記バイパス状態との間で前記バイパススイッチを切り替えるように構成された、請求項１に記載のバックアップ電力供給システム。
【請求項３】
それぞれのセルが、燃料電極と、カソードと、充電電極とを備え、それぞれのセルが、
前記セルを放電するために前記カソードによって前記セルを前記セル列に結合するための閉位置と、前記カソードを前記セル列から切り離すための開位置との間で切り替え可能な放電スイッチと、
充電のために前記充電電極によって前記セルを前記セル列に結合するための閉位置と、前記充電電極を前記セル列から切り離すための開位置との間で切り替え可能な充電スイッチと、を更に備え、
それぞれのセルが更に、前記放電モードを示す前記閾値信号に応答して前記放電スイッチを前記閉位置に切り替え、前記充電モードを示す前記閾値信号に応答して前記充電スイッチを前記閉位置に切り替えるように構成された、請求項１に記載のバックアップ電力供給システム。
【請求項４】
前記セルコントローラが、前記閾値信号とは無関係に前記通常状態と前記バイパス状態との間で前記バイパススイッチを切り替えるように構成された、請求項３に記載のバックアップ電力供給システム。
【請求項５】
前記一次電力センサが、それぞれのセルの前記セルコントローラに並列に結合されて、前記閾値信号を前記セルコントローラに直接送信し、それぞれのセルコントローラが、（ａ）前記放電モードを示す前記閾値信号に応答して前記電力スイッチおよび前記放電スイッチをそれらの前記閉状態に切り替え、（ｂ）前記充電モードを示す前記閾値信号に応答して前記電力スイッチおよび前記充電スイッチをそれらの前記閉状態に切り替えるように構成された、請求項３に記載のバックアップ電力供給システム。
【請求項６】
それぞれのセルコントローラが割り込み入力を有し、前記一次電源がそれぞれのセルの前記セルコントローラの前記割り込み入力に並列に結合される、請求項５に記載のバックアップ電力供給システム。
【請求項７】
それぞれのセルが、当該セルの前記セルコントローラに結合された放電制御回路と、当該セルの前記セルコントローラに結合された充電制御回路とを有し、
前記一次電力センサが、それぞれのセルの前記放電制御回路および前記充電制御回路に並列に結合されて、前記閾値信号をそれらに直接送信し、
それぞれの放電制御回路が、前記放電モードを示す前記閾値信号と、前記セルが放電準備完了状態にあることを示す前記セルコントローラからの放電準備完了信号とを受信したことに応答して、前記放電スイッチを前記閉状態に切り替えるように構成され、
それぞれの充電制御回路が、前記充電モードを示す前記閾値信号と、前記セルが充電準備完了状態にあることを示す前記セルコントローラからの充電準備完了信号とを受信したことに応答して、前記充電スイッチを前記閉状態に切り替えるように構成された、請求項３に記載のバックアップ電力供給システム。
【請求項８】
それぞれのセルが、前記充電スイッチおよび前記放電スイッチが同時に閉じられることを防止するために、前記放電制御回路と前記充電制御回路との間にインバータを更に備える、請求項７に記載のバックアップ電力供給システム。
【請求項９】
前記セルコントローラに結合された電力スイッチ制御回路を更に備え、
前記一次電力センサが、前記電力スイッチ制御回路に並列に結合されて、前記閾値信号を前記電力スイッチ制御回路に直接送信し、
前記電力スイッチ制御回路が、前記放電モードを示す前記閾値信号と、前記セルが放電準備完了状態にあることを示す前記セルコントローラからの放電準備完了信号とを受信したことに応答して、前記電力スイッチを前記閉状態に切り替えるように構成され、
前記電力スイッチ制御回路が、前記充電モードを示す前記閾値信号と、前記セルが充電準備完了状態にあることを示す前記セルコントローラからの充電準備完了信号とを受信したことに応答して、前記電力スイッチを前記閉状態に切り替えるように構成された、請求項７に記載のバックアップ電力供給システム。
【請求項１０】
前記電池セルのそれぞれが、金属燃料を含む前記燃料電極と空気カソードからなる前記カソードとを有する金属空気電池である、請求項３に記載のバックアップ電力供給システム。
【請求項１１】
それぞれの金属空気電池の前記充電電極が酸素発生電極である、請求項１０に記載のバックアップ電力供給システム。
【請求項１２】
前記金属燃料が亜鉛を含む、請求項１０に記載のバックアップ電力供給システム。
【請求項１３】
前記一次電力センサが電圧センサである、請求項１に記載のバックアップ電力供給システム。
【請求項１４】
前記一次電力センサが電流センサである、請求項１に記載のバックアップ電力供給システム。
【発明の詳細な説明】
【技術分野】
【０００１】
（関連出願の相互参照）
本出願は、２０１７年４月９日に出願された米国特許仮出願番号第６２／４８３，４４３号に基づく優先権を主張し、その内容は全体として参照により本明細書に組み込まれる。
【背景技術】
【０００２】
本発明は、再充電可能電気化学セルを使用した高速切り替えバックアップ電力供給システムに関する。
【０００３】
バックアップ電力供給システムは、一次電源が遮断されたときに迅速に応答する必要がある。一次電源がダウンした場合、またはその電力供給レベルが低下した場合、特に今日の複雑なコンピューターシステムでは、負荷への電力の損失がたとえコンマ何秒の間であっても問題になる可能性がある。
【０００４】
電池をバックアップ電力源として用い、接続スイッチをセルレベルで動作させる従来技術によるバックアップシステムにおいては、電力の低下または損失についての通信が中央コントローラに提供されると、次に中央コントローラがセルに信号を送信して、電池を回路に接続するためのそれらセルのスイッチを作動させる。電力損失の発生時、電力需要を満たすために電池をオンラインにするのに遅延があり得ることから、遮断を避けるために高放電速度のコンデンサが用いられることが多い。高放電速度のコンデンサは、非常に高速に放電できるものの、典型的にはエネルギー密度が低く、高価である。
【０００５】
高速のコンデンサは、充電／貯蔵のために電池をオンラインにすることができるようになる前に、充電中の負荷が急速にスパイクまたは飽和する可能性がある用途にも用いられる。例えば、雲の覆いが晴れることや風のパターンの変化により、ソーラーセルファームまたは風力タービンファームで利用可能なエネルギーが、電力を供給するグリッドのニーズを超えて急速に増加することがあり、送達された電力を受け入れるのに十分な容量がオンラインになるまで各電池群を保護するために高充電速度のコンデンサが用いられる。
【０００６】
再充電可能電気化学セルには他にも、バックアップ電力供給システムにおけるその使用を困難にする特異な特性がある。金属空気セル、鉛酸蓄電池、リチウム電池などの再充電可能電気化学セルは、一次電源および／または負荷との結合を防ぐためにセルをオフラインにするメンテナンスを行う必要がある。そのようなメンテナンスには、負荷均衡、ディープ放電、強制リセットなどが含まれ得る。更に、再充電可能な電気化学セルは、電力供給モードでのセルの使用を可能にするのに十分ではない充電低下状態を有する場合がある。それぞれのセルは個別に挙動するため、そのようなセルを使用する高速応答バックアップ電力供給は、固有の問題をもたらす可能性がある。
【０００７】
先行技術による各設計の例を、図１から図３を参照して詳細な説明のセクションで説明する。これらの設計には、放電または充電の準備ができた状態へのセルの移行が、動作が遅く、移行を遅延させる可能性がある様々な他の機能に特化したシステムコントローラによって管理されているという欠点がある。
【発明の概要】
【０００８】
本発明の一態様は、一次電源と共に用いるためのバックアップ電力供給システムを提供する。このシステムは、一次電源によって負荷に供給された一次電力の特性を検出するように構成された一次電力センサを備える。一次電力センサは、検出された特性に基づいて放電モードまたは充電モードを示す閾値信号を出力するように構成される。このシステムはシステムコントローラおよび電池システムも備える。
【０００９】
電池システムは、直列に配置されてセル列を構成する複数の再充電可能電池セルを含む。それぞれのセルは、（ｉ）セルコントローラと、（ｉｉ）セルの１つ以上の状態を検知して、再充電可能電池セルが充電のための充電準備完了モードにあるかどうか、および再充電可能電池セルが放電のための放電準備完了モードにあるかどうかを判断するために、セルコントローラに結合された少なくとも１つの準備完了状態センサと、（ｉｉｉ）セルコントローラに結合され、前記セルが前記セル列において電気的に結合されることを可能にするための通常状態と、セル列内でセルをバイパスするバイパス状態との間で切り替え可能なセルバイパススイッチと、（ｉｖ）電池システムと負荷との間で電力を伝達するためにセル列内で電池セルを電気的に結合する閉状態と、電池セルをセル列から電気的に切り離す開状態との間で切り替え可能な電力スイッチと、を備える。
【００１０】
一次電力センサは、システムコントローラおよびそれぞれのセルに並列に結合されて、閾値信号をそれぞれのセルに直接送信する。これにより、閾値信号の送信がシステムコントローラを通じて各セルに渡されることを回避する。それぞれのセルは、閾値信号を受信したことに応答してその電力スイッチを閉状態に切り替えるように構成される。それぞれのセルコントローラも、少なくとも１つの準備完了状態センサに応答して、バイパススイッチをバイパス状態と通常状態との間で切り替えるように構成される。
【００１１】
システムレベルでの他の手段は、セルからの電流および／または電圧の出力またはセルへの電流および／または電圧の入力をレギュレートし、電力スイッチ（および場合によっては他の各スイッチ）の操作により、利用可能な各セルを適宜、充電または放電する状態に迅速に移行させることができる。準備ができていないセルについては、バイパススイッチ機能を用いて、セル列を維持しながらそのセルをバイパスすることができる。
【００１２】
一部の実施形態において、一次電力センサは、それぞれのセルのセルコントローラに並列に結合されて、閾値信号をそれに直接送信してもよい。他の各実施形態において、一次電力センサは、関連する各スイッチをセルレベルで管理するための専用回路に並列に結合されてもよい。
【００１３】
本発明の他の目的、特徴、および利点は、以下の詳細な説明、添付図面、および添付の特許請求の範囲から理解されるであろう。
【図面の簡単な説明】
【００１４】
添付の各図面は、本発明の更なる理解を提供するべく本明細書に組み込まれてその一部を構成し、本発明の各実施形態を例示し、明細書の記載と共に本発明の原理を説明する役割を果たす。
【００１５】
【図１】負荷に結合され、それぞれのセルと通信するコントローラに結合された電圧センサによって一次電源の電圧を測定するように構成された従来技術のバックアップ電力供給システムを示す。
【００１６】
【図２】負荷に結合され、それぞれのセルと通信するコントローラに結合された電流センサによって一次電源の電流を測定するように構成された従来技術のバックアップ電力供給システムを示す。
【００１７】
【図３】マイクロコントローラと、複数のスイッチと、放電スイッチと、充電スイッチとを有する従来技術のセルの図を示し、このセルは一次電源の状態に関してコントローラから信号を受信する。
【００１８】
【図４】負荷に結合され、セルコントローラのそれぞれに結合された電圧センサによって一次電源の電圧を測定するように構成された本発明の例示的なバックアップ電力供給システムの実施形態を示す。
【００１９】
【図５】負荷に結合され、セルコントローラのそれぞれに結合された電流センサによって一次電源の電流を測定するように構成された本発明の別の例示的なバックアップ電力供給システムの実施形態を示す。
【００２０】
【図６】負荷に結合され、セルのそれぞれにハードワイヤされた電圧センサによって一次電源の電圧を測定するように構成された本発明の例示的なバックアップ電力供給システムの実施形態を示す。
【００２１】
【図７】負荷に結合され、セルのそれぞれにハードワイヤされた電流センサによって一次電源の電流を測定するように構成された本発明の例示的なバックアップ電力供給システムの実施形態を示す。
【００２２】
【図８】マイクロコントローラと、複数のスイッチと、放電スイッチと、充電スイッチとを有する例示的なセルの図を示し、このセルには一次電源センサがハードワイヤされている。
【００２３】
【図９】一次電源が閾値レベルを下回ったことをセンサが検出したときに、放電準備完了モードにある各セルを負荷に接続して負荷に電力を供給する例示的なバックアップ電力供給システムについての例示的な制御図を示し、このセンサは、セルのそれぞれと通信するコントローラーに接続されている。
【００２４】
【図１０】一次電源が閾値レベルを上回ったことをセンサが検出したときに、充電準備完了モードにある各セルを一次電源に接続する例示的なバックアップ電力供給システムについての例示的な制御図を示し、このセンサは、セルのそれぞれと通信するコントローラーに接続されている。
【００２５】
【図１１】一次電源が閾値レベルを下回ったことをセンサが検出したときに、放電準備完了モードにある各セルを負荷に接続して負荷に電力を供給する例示的なバックアップ電力供給システムについての例示的な制御図を示し、このセンサは、セルのそれぞれに直接接続されている。
【００２６】
【図１２】一次電源が閾値レベルを上回ったことをセンサが検出したときに、充電準備完了モードにある各セルを一次電源に接続する例示的なバックアップ電力供給システムについての例示的な制御図を示し、このセンサは、セルのそれぞれに直接接続されている。
【００２７】
【図１３】例示的な電気化学セルを示す。
【図１４】例示的な電気化学セルを示す。
【発明を実施するための形態】
【００２８】
対応する各参照文字は、各図面のいくつかの図にわたって対応する各部分を示す。これらの図面は、本発明の実施形態のうちのいくつかの例示であり、如何なる意味においても本発明の範囲を限定するものと解釈されるべきではない。また、これらの図面は必ずしも縮尺通りではなく、特定の構成要素の詳細を示すために一部の特徴が誇張されている場合がある。したがって、本明細書に開示された具体的な構造上および機能上の詳細は、限定として解釈されるべきではなく、単に本発明を様々に使用することを当業者に教示するための代表的な基礎として解釈されるべきである。
【００２９】
本明細書で用いられる用語「ｃｏｍｐｒｉｓｅｓ（備える）」、「ｃｏｍｐｒｉｓｉｎｇ（備える）」、「ｉｎｃｌｕｄｅｓ（含む）」、「ｉｎｃｌｕｄｉｎｇ（含む）」、「有する（ｈａｓ）」、「有する（ｈａｖｉｎｇ）」、またはこれらの任意の他の変形は、非排他的な包含を意図している。例えば、列挙された各要素を備えるプロセス、方法、物品、または装置は、必ずしもそれらの要素だけに限定されず、明示的に列挙されていない、またはそのようなプロセス、方法、物品、または装置に固有の他の各要素を含み得る。また、「ａ」または「ａｎ」の使用は、本明細書に記載の要素および構成要素を説明するために採用されている。これは単に便宜上および発明の範囲の一般的な意味を与えるために行われる。こうした記載は１つまたは少なくとも１つを含むように解釈されるべきであり、単数形の場合も複数を意味しないことが明らかでない限り複数を含む。
【００３０】
本明細書および参照により組み込まれた文書が矛盾するおよび／または一貫しない開示を含む場合、本明細書が優先されるものとする。
【００３１】
本発明の特定の例示的な各実施形態が本明細書に記載され、添付の各図面に示されている。記載されている各実施形態は、本発明の例示のみを目的としており、本発明の範囲を限定するものとして解釈されるべきではない。当業者には本発明の他の実施形態ならびに記載された各実施形態の特定の変更、組み合わせおよび改良が理解でき、そのような代替実施形態、組み合わせ、変更、および改良は全て本発明の範囲内である。
【００３２】
「直接」という語は、通信または信号送信に関して本明細書で用いられる場合、通信がセンサまたはコントローラなどのある要素から、他の機能を司る任意の付加的なコントローラまたはマイクロプロセッサを通過することなく、コントローラ、充電制御回路、放電制御回路、またはインバータゲートなどの、システムの別の要素に直接転送されることを意味する。「直接」という語は、第１の要素から通信トランシーバを通過することを含んでもよく、信号は無線信号であってもよい。直接通信の概念は、他のプロセスに供するために送信を遅延させる可能性のある構成要素を通過する信号を除外することを意図している。例えば、システムコントローラのマイクロプロセッサまたはマイクロコントローラは一般に多くの高レベル機能を司り、そのマイクロコントローラーを通じて閾値信号をルーティングすると、許容できない遅延が発生する恐れがある。
【００３３】
図１から図３は、より従来的な技術を用いた制御トポロジを例示するための参考として提供される。図１および図２に示すように、例示的なバックアップ電力供給システム１０は、負荷１２に結合され、一次電源センサ２２によって一次電源１４の電力レベルを、測定することなどによって検出するように構成されている。一次電源センサ２２は、それぞれが再充電可能電池８１を備えるそれぞれのセル８０から８０’’と通信するマイクロプロセッサの形態であるコントローラ７０に結合されている。そのコントローラ７０はシステムレベルにあり、システムレベルでの多種多様な機能と、個々のセルからのデータおよび指令の収集／個々のセルへのデータおよび指令の送信を司る。このコントローラ７０は、負荷／電源への接続およびＤＣ−ＤＣ変換またはＤＣ−ＡＣ変換のためのパワーエレクトロニクスを管理することもできる。一次電力センサは、一次電源によって負荷に供給される一次電力の特性を検出する。
【００３４】
図１において、一次電源センサ２２は、特性としての電圧を検出する電圧センサ２４であり、図２において、一次電源センサ２２は、特性としての電流を検出する電流センサ２６である。その他の点では、これらの実施形態は概して同じである。
【００３５】
１組の電力ライン７８、７８’は、各電池セルをバス４０に電気的に結合し、バス４０は、各電池セルを一次電源１４および負荷１２に結合する。ＡＣ電源が用いられる場合、整流器４４によるなどして、ＡＣ信号がＤＣに変換され得る。一次電源センサ２２が一次電力の閾値を下回る低下、例えば下位閾値レベルを検出すると、システムコントローラ７０は指令を送信して、各セルコントローラに（放電の準備ができた、以下に説明する方法でバイパスされていない各セルに対する）それらの電力スイッチ７５を閉じさせ、各電池を負荷に直列に結合して電池電力を負荷に供給する。電力が接続された各セルからなるセル列に送達される点を除き、充電についても同じことが起こる。電力レギュレータ７７は、負荷への供給のために電池システムによって生成される電力を制御してもよい。例えば、負荷は４４ボルトから５４ボルトで電力を受け取るように構成されてもよく、電力レギュレータを用いて負荷に送達される電力の量を制御してもよい。一例として、バス電圧が３０ボルトに低下した場合、電力レギュレータは、生成された電圧を付加的な１４ボルトから２４ボルトに制限し、バス電圧を許容範囲に維持して負荷をサポートしてもよい。同様に、負荷に利用可能な電力がより高い場合、レギュレータ７７は、再充電を目的として余分な電圧を各セルに流用してもよい。この電力レギュレータは従来的かつ周知であり、１つの充電専用レギュレーターと１つの放電専用レギュレーターなど、別々の構成要素で具現化されてもよい。電力レギュレータ（群）７７の操作は、システムコントローラ７０によって行われる。
【００３６】
電力レギュレータ７７は、用途に応じて、ＤＣ−ＤＣコンバータまたはＤＣ−ＡＣコンバータなどの電力コンディショナも含み得る。代替的に、電力レギュレーション（例えば、セル列からの電圧または電流の出力を制限する能力、またはセル列への電圧または電流の入力を制限する能力）および電力コンディショニング（例えば、信号変換またはマッチング）は、別々の構成要素によって実行されてもよい。
【００３７】
電池セル８０−８０’’のそれぞれは、電池が放電モードまたは充電モードのための準備完了状態にあるかどうかを判断するために用いられる電池の１つ以上のパラメーターを測定する準備完了状態センサ８２−８２’’を有する。準備完了状態センサは、電池セルに欠陥があるかどうかを判断し、セルコントローラおよび／またはシステムコントローラに信号を供給してセルを欠陥モードにしてもよい。準備完了状態センサは電池の充電状態も測定し得、充電状態が低すぎる場合、バイパススイッチ８５（ならびに随意に電力スイッチ７５および／または放電スイッチ９０）を開いて、電池が放電モードにある負荷と結合しないようにしてもよい。セルの充電状態が閾値の上限を上回ると、バイパススイッチ８５（ならびに随意に電力スイッチ７５および／または充電スイッチ９２）を開いて、セルが充電モードにならないようにしてもよい。充電モードによって、過充電が電池セルに有害な影響を与えかねない。準備完了状態センサは、セルが充電または放電のための準備完了モードにあるかどうかを判断するための入力を提供し、一次電源センサ２２もまた、各セルを充電モードまたは放電モードに切り替えるためのシステムへの入力を提供する。これら２つのセンサは連係して動作し、正常な準備完了モードにある各セルのみを負荷または一次電源に結合させる。
【００３８】
一次電源センサ２２は、電池システムコントローラ７０と通信し、電池システムコントローラ７０は、通信ライン７９を介してセルのそれぞれと通信する。信号送信機と、場合によっては信号受信機とを備える通信トランシーバ７２は、電池システムコントローラ７０およびセルのそれぞれと通信する。通信ライン７９は、電池システムコントローラ７０を各セルコントローラ８７に結合する。セル８０から８０’’のそれぞれは、電池システムコントローラ７０から通信信号を受信し、各セルのスイッチ７５、８５、９０、９２を制御するセルコントローラ８７を有する。
【００３９】
それぞれのセルは放電スイッチ９０を有する。それぞれの放電スイッチ９０は、セルを放電するためにそのカソードによってセル８０、８０’、８０’’をセル列に結合するための閉位置と、カソードをセル列から切り離すための開位置との間で切り替え可能である。金属空気セルの例において、カソードは空気カソードである。
【００４０】
それぞれのセルは充電スイッチ９２も有する。それぞれの充電スイッチ９２は、充電のために充電電極によってセルをセル列に結合するための閉位置と、充電電極をセル列から切り離すための開位置との間で切り替え可能である。金属空気セルの例において、充電電極は、ニッケルベースのものなどの酸素発生電極であってもよい。
【００４１】
それぞれのセルは電力スイッチ７５も有する。それぞれの電力スイッチ７５は、電池と負荷との間で電力を伝達するためにセル列内で電池セルを電気的に結合する閉状態と、電池セルをセル列から電気的に切り離す開状態との間で切り替え可能である。各図面に見られるように、電力スイッチ７５は、金属空気セルにおける金属（例えば、亜鉛）燃料電極などの負電極によってセルをセル列に結合する。
【００４２】
本明細書で説明するように、それぞれのセルは、セルを充電または放電から解除またはバイパスするために用いられるセルバイパススイッチ８５を有する。セルバイパススイッチ８５は、セルコントローラ８７に結合されている。セルバイパススイッチ８５は、セル８０、８０’、８０’’をセル列において電気的に結合することを可能にするための通常状態と、セル列内でセルをバイパスするバイパス状態との間で切り替え可能である。
【００４３】
図３に示すように、通信ライン７９はセルコントローラ８７に結合され、セルコントローラ８７は各セルスイッチのうちの１つ以上のセルスイッチ、すなわちセルバイパススイッチ８５、電力スイッチ７５、放電スイッチ９０、および／または充電スイッチ９２の開閉を制御する。セルコントローラ８７は、セルがメンテナンスモード、サービスモード、非準備完了モード、または故障モードにあるとき、バイパススイッチ８５を閉じてセルをバイパスモードにしてもよい。ディープ放電、交換、リセットなどの特定のアクティビティのためにあるセルをオフラインに保ち、残りの各セルを直列に接続されたままにすることを目的とした、このようなバイパスモードの使用が知られている。
【００４４】
背景技術のセクションで上述したように、この従来のアプローチの欠点は、システムコントローラ７０が信号を送信して各セルを、セル各々の電力スイッチを閉じ、それぞれのセルの放電スイッチまたは充電スイッチを、放電モードまたは充電モードの何れであるかに基づいて閉じるようにトリガーすることを司ることである。システムコントローラ７０は多くの他の役割も有するため、電力の供給または充電のために容量を利用可能にするのに遅延が生じる可能性がある。
【００４５】
以下の各実施形態は、各セルを充電または放電のための状態に切り替えるためのより直接的な技術を用いることによってその問題に対処する。図１から図３におけるトポロジの類似点については、詳細に繰り返すことはしない。
【００４６】
図４および図５に示すように、例示的なバックアップ電力供給システム１０は、負荷１２に結合され、一次電源センサ２２によって一次電源１４の電力レベルの特性（例えば、電圧または電流）を、測定することなどによって検出するように構成されている。例えば、負荷としてのコンピュータ群に電力を供給するグリッド用途において、一次電源はそのグリッド上で利用可能な電力を示す特性を検出して、各コンピュータを動作させるのに十分な電力があるか、電力が不足しているため各電池からのバックアップ電力を必要とするか、または各電池の充電に使用できる余剰があるほど十分過ぎる電力があるかについて、情報に基づく決定を行ってもよい。ソーラーファーム用途において、電源は、ソーラーファームによって負荷としてのエリア全体にわたるグリッドに出力された電力量であってもよく、センサは、ソーラーファームによって生成された電力の特性を検出して、同じ情報に基づく決定を行うことができる。他の各用途において、充電および放電に異なる優先順位を与えてもよく、充電および放電が同じ優先順位を有していてもよい。コンピューターの例において、遮断されることなく均一な電力供給を維持することが重要であるため、そのようなシステムは、放電を目的としてより迅速に反応するように設計されてもよい。ソーラーファーム用途の場合、各電池によって貯蔵される必要がある出力にスパイクが発生する可能性があるため、システムは充電を目的としてより迅速に反応するように設計されてもよい。一部のシステムにおいて、充電機能と放電機能の両方に同じ優先順位を付けてもよい。これらの相違に関するコンテキストについては、バイパス機能性に関連して以下で言及する。
【００４７】
図４および図５において、一次電源センサ２４／２６は、ハードワイヤリングによるなどして、セル８０’からセル８０’’用のセルコントローラ８７のそれぞれに直接通信する。具体的には、図４に示すように、一次電源センサは電圧センサ２４であり、図５に示すように、一次電源センサは電流センサ２６である。一次電源センサは、電池システムコントローラー７０にも直接通信する。したがって、一次電力センサ２４／２６は、それぞれのセルのコントローラ８７およびシステムコントローラ７０に並列に結合されている。直接信号は、直接ライン９５によってセル８０からセル８０’’のそれぞれに転送される。この実施形態において、各セルコントローラ８７は、（ａ）放電モードを示す閾値信号（後述）に応答して電力スイッチ７５および放電スイッチ９０をそれらの閉状態に切り替え、（ｂ）充電モードを示す閾値信号に応答して電力スイッチ７５および充電スイッチ９２をそれらの閉状態に切り替えるように構成される。一次電源センサ２４／２６はセルコントローラ８７のそれぞれに直接接続されているため、電池システムコントローラ７０はバイパスされている。これにより、電池電力供給への切り替えがより高速になる。
【００４８】
センサ２４／２６は何れも、システムのための放電モードまたは充電モードを示す閾値信号を出力するように構成されている。閾値信号は、関連する特性が適用可能な閾値を超えたことをセンサ２４／２６が検出したときに発せられる信号である。電圧を一例とすると、センサ２４は単一の閾値を有し、電圧が閾値を上回ると充電モードを示す閾値信号を出力し、電圧が閾値を下回ると放電モードを示す閾値信号を出力してもよい。電圧がそれを超えると充電モードを示す閾値信号の送信をトリガーする上位閾値、および電圧がそれを下回ると放電モードを示す閾値信号の送信をトリガーする下位閾値など、複数の閾値を用いてもよい。閾値信号はそのため、閾値の違反を示し、その違反がシステムのための充電または放電の何れを示すのかを示す信号である。特定のセルのアドレスを示し、特定のセルを対象とするアドレス指定された信号とは対照的に、閾値信号は、全てのセルが応答するグローバルまたは一体的な指令またはデータ信号である。グローバルまたは一体的な指令により、１つの指令を、全てのセルに並行して送信し、システムコントローラー７０にも送信することができる。閾値信号は、高／低データビットまたはハードウェア型信号と同じくらい単純であってもよい。システムコントローラー７０において、システムが、放電イベントにどれだけの電力が必要であるかについて決定を行い、電力出力の制御および管理を司るレギュレーター７７を動作させる（または充電イベントについては、システムは逆を行い、充電にどれだけの電力が利用できるかを決定する）。
【００４９】
一次電源センサ２４／２６は、閾値を下回る一次電力の低下または下位閾値レベルを検出すると、放電モードを示す閾値信号を送信する。次にセルコントローラ８７がその信号を受信し、それに応じて反応する。好ましくは、一次電源センサは、セルコントローラ８７の割り込み入力（割り込みピンとも呼ばれる）に接続される。割り込み入力は、応答アクションを高い優先事項としてトリガーし、セルコントローラ８７が、応答を遅延させる可能性のある他のプロセスを実行するのを待たずにそのプロセスを速める。放電モードを示す閾値信号に対するセルコントローラの反応は、電力スイッチ７５および放電スイッチ９０を閉じ（すなわち、その閉状態に切り替え）てセル８０から負荷１２への電力の流れを提供することである。
【００５０】
セルがメンテナンス中、または放電準備ができていないことを含む非準備完了モードにある場合、バイパススイッチ８５が閉じられることによってセルがバイパスされ、そのセルから負荷に電力が供給されなくなる。その場合、コントローラは、電力スイッチ７５および放電スイッチ９０を閉じる必要はない。実際、コントローラがそうしないことが好ましい（ただし随意）。そのような接続がセルとセル列との間のある程度の接続性を可能にし得るからである。
【００５１】
その閾値信号が放電モードを示す結果として、放電に利用可能なそれぞれのセルが、適切な切り替え接続を迅速かつ並行して同時に行うことが可能になる。
【００５２】
同様に、一次電源センサー２４／２６は、上位閾値レベルなどの閾値を上回る一次電力の増加を検出すると、充電モードを示す閾値信号を送信する。次にセルコントローラ８７がその信号を受信し、それに応じて反応する。充電モードを示す閾値信号に対するセルコントローラの反応は、電力スイッチ７５および充電スイッチ９２を閉じ（すなわち、その閉状態に切り替え）てセル８０から負荷１２への電力の流れを提供することである。
【００５３】
セルがメンテナンス中、または充電準備ができていないことを含む非準備完了モードにある場合、バイパススイッチ８５が閉じられることによってセルがバイパスされ、そのセルに電力が供給されなくなる。その場合、コントローラは、電力スイッチ７５および充電スイッチ９２を閉じる必要はない。ここでも、コントローラがそうしないことが好ましい（ただし随意）。そのような接続がセルとセル列との間のある程度の接続性を可能にし得るからである。
【００５４】
その閾値信号が充電モードを示す結果として、充電に利用可能なそれぞれのセルが、適切な切り替え接続を迅速かつ並行して同時に行うことが可能になる。
【００５５】
バイパス切り替えの決定は、閾値信号反応とは無関係にセルコントローラ８７によって行われてもよい。したがって、所定のセルをバイパスモードにする決定は事前に行われている可能性があり、その決定への言及に、バイパススイッチ動作が、電力スイッチ７５および放電／充電電力スイッチ９０／９２を閉じるための信号送信と必ずしも同時に起こることを意味する意図はない。一部のシステムは、用途に応じて放電または充電寄りの構成バイアスを有してもよい。例えば、上述のように、コンピューターなどの高感度の電子機器に電力をバックアップするためのシステムは急速放電に重点を置いてもよく、一方、ソーラーファームまたは風力ファームをバックアップするためのシステムは急速充電に重点を置いてもよい。
【００５６】
急速放電が優先されるシステムでは、システムは、バイパススイッチ８５を閉じた状態で、バイパス状態において放電の準備ができていない各セルと、バイパススイッチ８５を開いた状態で、通常状態において放電の準備ができている各セルとを保持するようにする構成バイアスを有してもよい。これは、セル準備完了状態センサ（群）を用いて、放電の準備はできているが充電の準備ができていない各セル（例えば、それ以上充電が不要なフルセル）およびその逆である各セルを識別する場合に特に有用である。放電がより優先される場合、各セルコントローラ８７は、放電が要求されることを見越して各バイパススイッチ８５を設定するように構成され得る。これにより、各バイパススイッチ８５が既に正しい位置に設定されているため、放電モードを示す閾値信号が送信されたときにシステムがより迅速に反応できるようになり、必要な動作は電力スイッチ７５および放電スイッチ９０を閉じることだけである。
【００５７】
同様に、急速充電が優先されるシステムでは、システムは、バイパススイッチ８５を閉じた状態で、バイパス状態において充電の準備ができていない各セルと、バイパススイッチ８５を開いた状態で、通常状態において充電の準備ができている各セルとを保持するようにする構成バイアスを有してもよい。これは、セル準備完了状態センサ（群）を用いて、充電の準備はできているが放電の準備ができていない各セル（例えば、それ以上放電できず、充電が必要な消耗セル）およびその逆である各セルを識別する場合に特に有用である。充電がより優先される場合、各セルコントローラ８７は、充電が要求されることを見越して各バイパススイッチを設定するように構成され得る。これにより、各バイパススイッチが既に正しい位置に設定されているため、充電モードを示す閾値信号が送信されたときにシステムがより迅速に反応できるようになり、必要な動作は電力スイッチ７５および充電スイッチ９２を閉じることだけである。
【００５８】
他のシステムには、充電または放電寄りの構成バイアスがない場合がある。さて図６から図８を参照すると、付加的なバックアップ電力供給システム１０は、負荷１２に結合され、一次電源センサ２２によって一次電源１４の電力レベルを測定するように構成されている。図６において、一次電源センサ２２は電圧センサ２４であり、図７において、一次電源センサ２２は電流センサ２６である。システム設計は、センサ２４／２６が、それぞれのセルの放電制御回路９６および充電制御回路９８に並列に結合されて、閾値信号をそれらに直接送信することを除いて、図４および図５におけるものと同じである。これらの回路９６、９８は、それぞれ放電スイッチ９０および充電スイッチ９２を制御し、この直接接続により、適切なスイッチを閉じるための極めて迅速な応答が可能になる。
【００５９】
放電制御回路９６は、ＡＮＤゲートとして設計されてもよい。ＡＮＤゲートは、適切な閾値信号を受信するために一次電源センサー２４／２６に接続された第１の入力を有する。すなわち、一次電源センサ２４／２６は、それぞれのセルの放電制御回路９６、および特に図示の実施形態においてはＡＮＤゲートの第１の入力に並列に結合されて、閾値信号をそれに直接送信する。放電制御回路９６のＡＮＤゲートは、セルが放電準備完了状態にあるかどうかを示す信号を受信するためにセルコントローラ８７に接続された第２の入力も有する。放電制御回路９６は、２つの条件が満たされたことに応答して、放電スイッチ９０を閉状態に切り替えるように構成されている。それら２つの条件とは、第１の入力で放電モードを示す閾値信号を受信することと、第２の入力でセルコントローラ８７からの、セルが放電準備完了状態であることを示す放電準備完了信号を受信することである。両方の条件が満たされた場合、放電制御回路９６は放電スイッチ９０を閉じる。
【００６０】
充電制御回路９８も、ＡＮＤゲートとして設計されてもよい。このＡＮＤゲートも、適切な閾値信号を受信するために一次電源センサー２４／２６に接続された第１の入力を有する。すなわち、一次電源センサ２４／２６は、それぞれのセルの充電制御回路９８、および特に図示の実施形態においてはＡＮＤゲートの第１の入力に並列に結合されて、閾値信号をそれに直接送信する。充電制御回路９８のＡＮＤゲートは、セルが充電準備完了状態にあるかどうかを示す信号を受信するためにセルコントローラ８７に接続された第２の入力も有する。充電制御回路９８は、２つの条件が満たされたことに応答して、充電スイッチ９２を閉状態に切り替えるように構成されている。それら２つの条件とは、第１の入力で充電モードを示す閾値信号を受信することと、第２の入力でセルコントローラ８７からの、セルが放電準備完了状態であることを示す充電準備完了信号を受信することである。両方の条件が満たされた場合、充電制御回路９８は充電スイッチ９２を閉じる。
【００６１】
インバータゲート９９は、スイッチ９０、９２の両方が同時に作動させられることを防止し、一度に放電スイッチおよび充電スイッチの一方のみが閉じられ得るようにする。
【００６２】
同様に、電力スイッチ７５も、電力スイッチ７５を制御するための電力スイッチ制御回路９３を有してもよい。電源センサ２４／２６は、他の各要素と並列に電源制御回路９３に直接通信してもよい。電力スイッチ制御回路９３も、ＡＮＤゲートとして設計されてもよい。このＡＮＤゲートも、適切な閾値信号を受信するために一次電源センサー２４／２６に接続された第１の入力を有する。すなわち、一次電源センサ２４／２６は、それぞれのセルの電力スイッチ制御回路９３、および特に図示の実施形態においてはＡＮＤゲートの第１の入力に並列に結合されて、閾値信号をそれに直接送信する。電力スイッチ制御回路９３のＡＮＤゲートは、セルが準備完了状態にあるかどうかを示す信号を受信するためにセルコントローラ８７に接続された第２の入力も有する。電力スイッチ制御回路９３は、２つの条件が満たされたことに応答して、充電スイッチ９２を閉状態に切り替えるように構成されている。それら２つの条件とは、第１の入力で放電モードまたは充電モードを示す任意の閾値信号を受信することと、第２の入力でセルコントローラ８７からの、セルが準備完了状態にある、すなわちバイパスされていないことを示す準備完了信号を受信することである。両方の条件が満たされた場合、電力スイッチ制御回路９３は電力スイッチ７５を閉じる。
【００６３】
一部の実施形態において、電力スイッチ制御回路のＡＮＤゲートの第２の入力に印加される信号は、包括的な準備完了信号、すなわち、電力スイッチ制御回路９３に、セルが電力スイッチ７５が閉じられる準備ができていることを示す（ただし、充電のための準備完了と放電のための準備完了とを区別しない）、セルコントローラによる信号出力であってもよい。一部の実施形態において、第２の入力制御回路ＡＮＤゲートに印加される信号は、これら２つの状態を区別してもよく、すなわち、放電準備完了信号または充電準備完了信号であってもよい。電力スイッチ制御回路９３は、それらの信号の何れかに反応するように構成されてもよい（閾値信号も受信されると仮定）。セルコントローラ８７からの放電準備完了信号と放電モードを示す閾値信号の両方を受信したときに電力スイッチ７５を閉じるＡＮＤゲート、およびセルコントローラからの充電準備完了信号と充電モードを示す閾値信号の両方が受信されたときに電力スイッチ７５を閉じるＡＮＤゲートなど、複数の構成要素を用いることもできる。したがって、単一のＡＮＤゲートの使用は限定的ではなく、他の高速動作回路も同様に使用され得る。
【００６４】
図６から図８におけるこの直接通信および回路駆動による切り替えは、一次電源が閾値レベルを下回ることに対する非常に高速な応答性を提供する。
【００６５】
一実施形態において、バックアップ電力供給システム１０は、ＡＣ電力を受け取るように構成された負荷１２に結合されてもよい。インバータを用いて、例えばソーラーパネルである一次電源１４からのＤＣ電力がＡＣ電力に変換される。同インバータ（または別のインバータ）は、一次電源が閾値電力レベルを下回ると、バックアップ電力供給システムによって生成されたＤＣ電力を、負荷に印加するためのＡＣ電力に変換する。
【００６６】
一部の実施形態において、セルは、放電機能および充電機能のために別々の電極を回路に結合する充電／放電スイッチを備えていない場合がある。例えば、一部の電池セル（例えば、リチウムイオン電池および鉛酸蓄電池）はアノードとカソードとを備えるのみであり、単に極性を反転させることによって、同じ各電極を用いて放電および充電することができる。ただし、メンテナンス／欠陥のために、そのような各セルを、セル列全体を遮断することなくオフラインにすることが望ましい場合があるため、それらのセルは、前述の各実施形態と同じ電力スイッチ７５およびバイパススイッチ８５を有することができ、充電および放電を目的としてそれぞれ異なる電極間で切り替える複数のスイッチを要しない。セルを確実にセル列から完全絶縁するために、そのようなセルのアノード用とカソード用の２つの電力スイッチを有することもできる。アノードとカソードのみを有する各セル上のそのような各スイッチの接続、構成、および応答性は、上記で説明したものと同じである。
【００６７】
図９の制御図に示すように、例示的なバックアップ電力供給システム１０は、一次電源が閾値レベルを下回ったことをセンサが検出すると、放電準備完了モードにある各セルを負荷に接続して負荷に電池電力を供給する。一次電源センサ２２は電池システムコントローラと通信し、電池システムコントローラはそれからセルのそれぞれと通信する。
【００６８】
図１０の制御図に示すように、例示的なバックアップ電力供給システム１０は、一次電源が閾値レベルを上回ったことをセンサーが検出すると、一次電源を充電準備完了モードにある各セルに接続して各セルに一次電力を供給する。一次電源センサ２２は電池システムコントローラと通信し、電池システムコントローラはそれからセルのそれぞれと通信する。
【００６９】
図１１の制御図に示すように、例示的なバックアップ電力供給システム１０は、一次電源が閾値レベルを下回ったことをセンサが検出すると、放電準備完了モードにある各セルを負荷に接続して負荷に電池電力を供給する。一次電源センサー２２は、各セルと直接通信する。
【００７０】
図１２の制御図に示すように、例示的なバックアップ電力供給システム１０は、一次電源が閾値レベルを上回ったことをセンサーが検出すると、一次電源を充電準備完了モードにある各セルに接続して各セルに一次電力を供給する。一次電源センサ２２は、例えば、各回路を制御するために各セルと直接通信する、または各セルコントローラと直接通信する。
【００７１】
さて図１３および図１４を参照し、電気化学セル１００の様々な部分は、プラスチック、金属、樹脂、またはそれらの組み合わせから形成されることを含むがそれに限定されない、任意の好適な構造または組成のものであってもよい。したがって、セル１００は、複数の要素から形成される、一体に成型されるなどの任意の方法で組み立てられてもよい。様々な実施形態において、セル１００および／またはハウジング１１０は、米国特許第８，１６８，３３７号、第８，３０９，２５９号、第８，４９１，７６３号、第８，４９２，０５２号、第８，６５９，２６８号、第８，８７７，３９１号、第８，８９５，１９７号、第８，９０６，５６３号、第８，９１１，９１０号、第９，２６９，９９６号、第９，２６９，９９８号、および米国特許出願公開第２０１０／０３１６９３５号、第２０１１／００７０５０６号、第２０１１／０２５０５１２号、第２０１２／００１５２６４号、第２０１２／００６８６６７号、第２０１２／０２０２１２７号、第２０１２／０３２１９６９号、第２０１３／００９５３９３号、第２０１３／０１１５５２３号、および第２０１３／０１１５５２５号の各明細書のうちの一つ以上に記載された要素または構成を含んでもよく、これらの明細書は参照により全体として本明細書に組み込まれる。
【００７２】
図１３は電気化学セル１００の概略断面図を示す。図に示すとおり、電気化学セル１００の各構成要素は少なくとも部分的に、対応付けられたハウジング１１０内に収容されてもよい。セル１００は、ハウジング１１０内に収容され、その中で循環してセル１００内でイオンを伝導するように構成された、電解液１２６などの液体イオン伝導性媒質１２４を用いる。イオン伝導性媒質は時に停滞ゾーンなどのハウジング１１０内において概ね静止していることがあるが、これに対してセル１００はイオン伝導性媒質の対流を生じさせるように構成されてもよいことが理解され得る。一部の実施形態において、イオン伝導性媒質の流れは、セル１００内の発生ガスの泡によって生成される対流であってもよく、これは例えば、米国特許出願番号第１３／５３２，３７４号に記載されており、この内容は参照により全体として上記に組み込まれている。
【００７３】
図１３に示す実施形態において、セルハウジングは、酸化剤還元極１５０が酸化剤還元極モジュール１６０とともにセル室１２０内に浸漬されるように構成されているが、様々な実施形態において、セル１００の他の構成または配置も可能であることが理解され得る。例えば、図１４において、セル１００の別の実施形態（具体的には、セル１００*）が提示されているが、これによれば、酸化剤還元極１５０*はセル室１２０のための境界壁を画定しており、ハウジング１１０*の一部に封止されてその間にイオン伝導性媒質が浸出することを防いでいる。しかしながら、このような構成は、酸化剤還元極１５０*の故障がイオン伝導性媒質のセル１００*からの漏出を招くいう懸念のため、一般的には好ましくない。いずれにせよ、一部のそのような実施形態において、以下により詳細に説明されるセル室１２０内のイオン伝導性媒質の対流は、上に向かい、酸化剤還元極１５０*から離れ、燃料極１３０の頂部を横切る方向にあってもよい。
【００７４】
好ましくは、本発明の各実施形態による各システムは、電源センサ２２が適用可能な閾値の通過を検出してから１０ミリ秒以内に切り替えを完了し得る。より好ましくは、この期間は５ミリ秒以下、更には２ミリ秒以下である。
【００７５】
本発明において、本発明の精神または範囲を逸脱することなく多様な変更、組み合わせ、および変形が可能であることは当業者には明白であろう。本明細書に記載の特定の実施形態、特徴、および要素は、任意の好適な方法で変更および／または組み合わされてもよい。したがって、本発明は、添付の特許請求の範囲およびその均等物の範囲内に入る本発明の変更、組み合わせ、および変形を包含することを意図している。
【図１】
2020512793.tif 000003
【図２】
2020512793.tif 000004
【図３】
2020512793.tif 000005
【図４】
2020512793.tif 000006
【図５】
2020512793.tif 000007
【図６】
2020512793.tif 000008
【図７】
2020512793.tif 000009
【図８】
2020512793.tif 000010
【図９】
2020512793.tif 000011
【図１０】
2020512793.tif 000012
【図１１】
2020512793.tif 000013
【図１２】
2020512793.tif 000014
【図１３】
2020512793.tif 000015
【図１４】
2020512793.tif 000016
【手続補正書】
【提出日】平成31年2月6日(2019.2.6)
【手続補正１】
【補正対象書類名】特許請求の範囲
【補正対象項目名】全文
【補正方法】変更
【補正の内容】
【特許請求の範囲】
【請求項１】
一次電源と共に用いるためのバックアップ電力供給システムであって、前記システムが、
前記一次電源によって負荷に供給された一次電力の特性を検出するように構成された一次電力センサであって、検出された前記特性に基づいて放電モードまたは充電モードを示す閾値信号を出力するように構成された一次電力センサと、
システムコントローラと、
直列に配置されてセル列を構成する複数の再充電可能電池セルを含む電池システムと、を備え、それぞれのセルが、
（ｉ）セルコントローラと、
（ｉｉ）前記セルの１つ以上の状態を検知して、前記再充電可能電池セルが充電のための充電準備完了モードにあるかどうか、および前記再充電可能電池セルが放電のための放電準備完了モードにあるかどうかを判断するために、前記セルコントローラに結合された少なくとも１つの準備完了状態センサと、
（ｉｉｉ）前記セルコントローラに結合され、前記セルが前記セル列において電気的に結合されることを可能にするための通常状態と、前記セル列内で前記セルをバイパスするバイパス状態との間で切り替え可能なセルバイパススイッチと、
（ｉｖ）前記電池システムと前記負荷との間で電力を伝達するために前記セル列内で前記電池セルを電気的に結合する閉状態と、前記電池セルを前記セル列から電気的に切り離す開状態との間で切り替え可能な電力スイッチと、を備え、
前記システムコントローラがそれぞれのセルコントローラに結合され、それぞれのセルコントローラが前記システムコントローラから通信信号を受信するように構成され、
前記一次電力センサが、前記システムコントローラおよびそれぞれのセルに並列に電気的に結合されて、前記システムコントローラをバイパスし、前記閾値信号をそれぞれのセルに直接送信し、
それぞれのセルが、前記閾値信号を受信したことに応答して当該セルの前記電力スイッチを前記閉状態に切り替えるように構成され、
それぞれのセルコントローラが、前記少なくとも１つの準備完了状態センサに応答して、前記バイパススイッチを前記バイパス状態と前記通常状態との間で切り替えるように構成された、バックアップ電力供給システム。
【請求項２】
前記セルコントローラが、前記閾値信号とは無関係に前記通常状態と前記バイパス状態との間で前記バイパススイッチを切り替えるように構成された、請求項１に記載のバックアップ電力供給システム。
【請求項３】
それぞれのセルが、燃料電極と、カソードと、充電電極とを備え、それぞれのセルが、
前記セルを放電するために前記カソードによって前記セルを前記セル列に結合するための閉位置と、前記カソードを前記セル列から切り離すための開位置との間で切り替え可能な放電スイッチと、
充電のために前記充電電極によって前記セルを前記セル列に結合するための閉位置と、前記充電電極を前記セル列から切り離すための開位置との間で切り替え可能な充電スイッチと、を更に備え、
それぞれのセルが更に、前記放電モードを示す前記閾値信号に応答して前記放電スイッチを前記閉位置に切り替え、前記充電モードを示す前記閾値信号に応答して前記充電スイッチを前記閉位置に切り替えるように構成された、請求項１に記載のバックアップ電力供給システム。
【請求項４】
前記セルコントローラが、前記閾値信号とは無関係に前記通常状態と前記バイパス状態との間で前記バイパススイッチを切り替えるように構成された、請求項３に記載のバックアップ電力供給システム。
【請求項５】
前記一次電力センサが、それぞれのセルの前記セルコントローラに並列に結合されて、前記閾値信号を前記セルコントローラに直接送信し、それぞれのセルコントローラが、（ａ）前記放電モードを示す前記閾値信号に応答して前記電力スイッチおよび前記放電スイッチをそれらの前記閉状態に切り替え、（ｂ）前記充電モードを示す前記閾値信号に応答して前記電力スイッチおよび前記充電スイッチをそれらの前記閉状態に切り替えるように構成された、請求項３に記載のバックアップ電力供給システム。
【請求項６】
それぞれのセルコントローラが割り込み入力を有し、前記一次電力センサがそれぞれのセルの前記セルコントローラの前記割り込み入力に並列に結合される、請求項５に記載のバックアップ電力供給システム。
【請求項７】
それぞれのセルが、当該セルの前記セルコントローラに結合された放電制御回路と、当該セルの前記セルコントローラに結合された充電制御回路とを有し、
前記一次電力センサが、それぞれのセルの前記放電制御回路および前記充電制御回路に並列に結合されて、前記閾値信号をそれらに直接送信し、
それぞれの放電制御回路が、前記放電モードを示す前記閾値信号と、前記セルが放電準備完了状態にあることを示す前記セルコントローラからの放電準備完了信号とを受信したことに応答して、前記放電スイッチを前記閉状態に切り替えるように構成され、
それぞれの充電制御回路が、前記充電モードを示す前記閾値信号と、前記セルが充電準備完了状態にあることを示す前記セルコントローラからの充電準備完了信号とを受信したことに応答して、前記充電スイッチを前記閉状態に切り替えるように構成された、請求項３に記載のバックアップ電力供給システム。
【請求項８】
それぞれのセルが、前記充電スイッチおよび前記放電スイッチが同時に閉じられることを防止するために、前記放電制御回路と前記充電制御回路との間にインバータを更に備える、請求項７に記載のバックアップ電力供給システム。
【請求項９】
前記セルコントローラに結合された電力スイッチ制御回路を更に備え、
前記一次電力センサが、前記電力スイッチ制御回路に並列に結合されて、前記閾値信号を前記電力スイッチ制御回路に直接送信し、
前記電力スイッチ制御回路が、前記放電モードを示す前記閾値信号と、前記セルが放電準備完了状態にあることを示す前記セルコントローラからの放電準備完了信号とを受信したことに応答して、前記電力スイッチを前記閉状態に切り替えるように構成され、
前記電力スイッチ制御回路が、前記充電モードを示す前記閾値信号と、前記セルが充電準備完了状態にあることを示す前記セルコントローラからの充電準備完了信号とを受信したことに応答して、前記電力スイッチを前記閉状態に切り替えるように構成された、請求項７に記載のバックアップ電力供給システム。
【請求項１０】
前記電池セルのそれぞれが、金属燃料を含む金属燃料電極からなる前記燃料電極と空気カソードからなる前記カソードとを有する金属空気電池である、請求項３に記載のバックアップ電力供給システム。
【請求項１１】
それぞれの金属空気電池の前記充電電極が酸素発生電極である、請求項１０に記載のバックアップ電力供給システム。
【請求項１２】
前記金属燃料が亜鉛を含む、請求項１０に記載のバックアップ電力供給システム。
【請求項１３】
前記一次電力センサが電圧センサである、請求項１に記載のバックアップ電力供給システム。
【請求項１４】
前記一次電力センサが電流センサである、請求項１に記載のバックアップ電力供給システム。
【国際調査報告】
2020512793.tif 000017
2020512793.tif 000018